(57)【特許請求の範囲】
【請求項１】
３相交流電力回路のＡ相、Ｂ相、Ｃ相のそれぞれにA相開閉器、B相開閉器、C相開閉器を接続し、これらの各相開閉器を互いに独立して制御できるように構成された電力開閉制御装置であって、
前記Ａ相開閉器、Ｂ相開閉器、Ｃ相開閉器のそれぞれの投入動作時間を表わす投入動作時間情報ＴＡ、ＴＢ、ＴＣを出力する投入動作時間情報検出手段、および前記投入動作時間情報ＴＡ、ＴＢ、ＴＣに基づいて前記A相開閉器、Ｂ相開閉器、Ｃ相開閉器の投入タイミングを制御する開閉制御手段を備え、
前記投入動作時間情報検出手段は、前記各相開閉器の中の少なくとも１つの投入動作時間情報を、その相開閉器の可動接点の動きに基づいて出力し、また、前記各相開閉器の中の他の少なくとも１つの投入動作時間情報を、その相開閉器の相電流に基づき出力することを特徴とする電力開閉制御装置。
【請求項２】
請求項１記載の電力開閉制御装置であって、前記開閉制御手段が、前記Ｂ相開閉器およびＣ相開閉器に先行して、前記Ａ相開閉器を投入するように構成され、前記投入動作時間情報検出手段が、前記A相開閉器の投入動作時間情報ＴＡを、このＡ相開閉器の可動接点の動きに基づいて出力し、また前記Ｂ相開閉器およびＣ相開閉器の投入動作時間情報ＴＢ、ＴＣを、前記Ｂ相およびＣ相の相電流に基づいて出力することを特徴とする電力開閉制御装置。
【請求項３】
請求項２記載の電力開閉制御装置であって、前記Ａ相開閉器の可動接点の動きを検出する接点動作センサと、前記Ｂ相およびＣ相の相電流を検出する２つの相電流センサとが、前記投入動作時間情報検出手段に接続されたことを特徴とする電力開閉制御装置。
【請求項４】
請求項１記載の電力開閉制御装置であって、前記開閉制御手段が、前記Ａ相開閉器およびＢ相開閉器をそれぞれの接点間に電圧が印加されたタイミングで投入し、前記Ｃ相開閉器をその接点間に電圧が実質的に印加されないタイミングで投入するように構成され、前記投入動作時間情報出力手段が、前記Ａ相開閉器およびＢ相開閉器の投入動作時間情報ＴＡ、ＴＢを、前記Ａ相およびＢ相の相電流に基づいて出力し、また前記Ｃ相開閉器の投入動作時間情報ＴＣを、このＣ相開閉器の可動接点の動きに基づいて出力することを特徴とする電力開閉制御装置。
【請求項５】
請求項４記載の電力開閉制御装置であって、前記Ａ相およびＢ相の相電流を検出する２つの相電流センサと、前記Ｃ相開閉器の可動接点の動きを検出する接点動作センサとが、前記投入動作時間情報検出手段に接続されたことを特徴とする電力開閉制御装置。
【請求項６】
３相交流電力回路のＡ相、Ｂ相、Ｃ相のそれぞれにＡ相開閉器、Ｂ相開閉器、Ｃ相開閉器を接続し、これらの各相開閉器を互いに独立して制御できるように構成された電力開閉制御装置であって、
前記Ａ相開閉器、Ｂ相開閉器、Ｃ相開閉器のそれぞれの投入動作時間を表わす投入動作時間情報ＴＡ、ＴＢ、ＴＣを出力する投入動作時間検出手段、および前記投入動作時間情報ＴＡ、ＴＢ、ＴＣに基づいて前記Ａ相開閉器、Ｂ相開閉器、Ｃ相開閉器を制御する開閉制御手段を備え、
前記投入動作時間情報出力手段には、前記Ａ相開閉器、Ｂ相開閉器、Ｃ相開閉器のそれぞれの可動接点の動きを検出する３つの接点動作センサと、前記Ａ相、Ｂ相、Ｃ相のそれぞれの相電流を検出する３つの相電流センサとが接続され、
前記投入動作時間検出手段は、前記Ａ相開閉器、Ｂ相開閉器、Ｃ相開閉器の投入動作時間情報ＴＡ、ＴＢ、ＴＣのそれぞれを、前記接点動作センサの検出出力と、前記相電流センサの検出出力とのいずれか一方に基づいて出力することを特徴とする電力開閉制御装置。
【請求項７】
請求項６記載の電力開閉制御装置であって、前記投入動作時間情報検出手段は、前記Ａ相開閉器、Ｂ相開閉器、Ｃ相開閉器のそれぞれについて、対応する前記接点動作センサが、その相開閉器の可動接点が特定位置に到達したことを検出したタイミングを基準として、予め設定した所定時間内に、対応する前記相電流センサの検出出力の変化が存在する場合には、その相電流センサの検出出力に基づいて、また前記所定時間内にその相電流電流センサの検出出力の変化が存在しない場合には、その接点動作センサの検出出力に基づいて、前記各投入動作時間情報ＴＡ、ＴＢ、ＴＣをそれぞれ出力することを特徴とする電力開閉制御装置。
【発明の詳細な説明】
【技術分野】
【０００１】
この発明は、３相交流電力回路の各相にそれぞれ相開閉器を配置し、これらの各相開閉器を互いに独立して制御できるように構成された電力開閉制御装置に関するものである。
【背景技術】
【０００２】
国際公開ＷＯ００／０４５６４公報には、同期開閉器が開示されている。この同期開閉器では、３相交流電力回路の各相に配置された相開閉器が互いに独立して制御され、３相交流電力回路の変圧器、シャントリアクトル、送電線、コンデンサバンク等の系統機器にとって過酷な励磁投入電流電流またはサージ電圧の発生を抑制するために、各相開閉器を、設定された位相で投入する。
【０００３】
しかし、一般に、相開閉器の接点は、アークにより消耗し、またその可動接点の駆動機構にもばらつきがあり、この駆動機構は、さらに周囲温度などの周囲環境に応じてその駆動特性に変化が生じる。特開２００１−１３５２０５号公報には、ある１つの相の電力開閉装置が開示されている。この電力開閉装置では、相電流の波形および開閉器のプレアーク時間に基づき、開閉器の投入動作時間を検出し、その投入動作時間を次回における開閉器の投入タイミングの制御に反映している。この開閉器の投入動作時間は、開閉器の投入指令を与えてから、実際に接点が接合するまでの動作時間である。
【０００４】
【特許文献１】特開２００１−１３５２０５号公報
【特許文献２】国際公開ＷＯ００／０４５６４号公報
【発明の開示】
【発明が解決しようとする課題】
【０００５】
３相交流電力回路の各相開閉器を互いに独立して、設定された位相で投入する場合、例えば負荷が中性点非接地タイプの負荷であれば、最初に投入される相開閉器が投入された状態では、相電流が流れない。また、負荷が中性点接地タイプの共通コアを持った負荷である場合には、最後に投入される相開閉器は、先行する２つの相が投入された結果、接点間電圧が実質的に０の状態で投入される。このため、相開閉器の投入動作時間を、プレアークを含む相電流波形に基づいて検出するように構成したものでは、すべての相開閉器の投入時にプレアークを含む相電流波形が得られず、すべての相開閉器の投入動作時間を正確に検出できない問題がある。
【０００６】
この発明は、このような問題を改善することのできる改良された電力開閉制御装置を提案するものである。
【課題を解決するための手段】
【０００７】
この発明の第１の観点による電力開閉制御装置は、３相交流電力回路のA相、B相、C相のそれぞれにA相開閉器、B相開閉器、C相開閉器を接続し、これらの各相開閉器を互いに独立して制御できるように構成された電力開閉制御装置であって、前記Ａ相開閉器、Ｂ相開閉器、Ｃ相開閉器のそれぞれの投入動作時間を表わす投入動作時間情報ＴＡ、ＴＢ、ＴＣを出力する投入動作時間情報検出手段、および前記投入動作時間情報ＴＡ、ＴＢ、ＴＣに基づいて前記A相開閉器、Ｂ相開閉器、Ｃ相開閉器の投入タイミングを制御する開閉制御手段を備え、前記投入動作時間情報検出手段は、前記各相開閉器の中の少なくとも１つの投入動作時間情報を、その相開閉器の可動接点の動きに基づいて出力し、また、前記各相開閉器の中の他の少なくとも１つの投入動作時間情報を、その相開閉器の相電流に基づき出力することを特徴とする。
【０００８】
この発明の第２の観点による電力開閉制御装置は、３相交流電力回路のＡ相、Ｂ相、Ｃ相のそれぞれにＡ相開閉器、Ｂ相開閉器、Ｃ相開閉器を接続し、これらの各相開閉器を互いに独立して制御できるように構成された電力開閉制御装置であって、前記Ａ相開閉器、Ｂ相開閉器、Ｃ相開閉器のそれぞれの投入動作時間を表わす投入動作時間情報ＴＡ、ＴＢ、ＴＣを出力する投入動作時間検出手段、および前記投入動作時間情報ＴＡ、ＴＢ、ＴＣに基づいて前記Ａ相開閉器、Ｂ相開閉器、Ｃ相開閉器を制御する開閉制御手段を備え、前記投入動作時間情報出力手段には、前記Ａ相開閉器、Ｂ相開閉器、Ｃ相開閉器のそれぞれの可動接点の動きを検出する３つの接点動作センサと、前記Ａ相、Ｂ相、Ｃ相のそれぞれの相電流を検出する３つの相電流センサとが接続され、前記投入動作時間検出手段は、前記Ａ相開閉器、Ｂ相開閉器、Ｃ相開閉器の投入動作時間情報ＴＡ、ＴＢ、ＴＣのそれぞれを、前記接点動作センサの検出出力と、前記相電流センサの検出出力とのいずれか一方に基づいて出力することを特徴とする。
【発明の効果】
【０００９】
この発明の第１の観点による電力開閉制御装置では、投入動作時間情報検出手段が、各相開閉器の中の少なくとも１つの投入動作時間情報を、その相開閉器の可動接点の動きに基づいて出力し、また、前記各相開閉器の中の他の少なくとも１つの投入動作時間情報を、その相開閉器の相電流に基づき出力するので、相開閉器の可動接点の動きに基づいて投入動作時間情報が出力される相では、その相電流に基づく投入動作時間情報が得られなくても、その可動接点の動きに基づき、投入動作時間情報が得られるので、より正確に、各相開閉器の投入動作時間情報を得ることができる。
【００１０】
この発明の第２の観点による電力開閉制御装置では、投入動作時間情報出力手段には、Ａ相開閉器、Ｂ相開閉器、Ｃ相開閉器のそれぞれの可動接点の動きを検出する３つの接点動作センサと、Ａ相、Ｂ相、Ｃ相のそれぞれの相電流を検出する３つの相電流センサとが接続され、前記投入動作時間検出手段が、前記Ａ相開閉器、Ｂ相開閉器、Ｃ相開閉器の投入動作時間情報ＴＡ、ＴＢ、ＴＣのそれぞれを、前記接点動作センサの検出出力と、前記相電流センサの検出出力とのいずれか一方に基づいて出力するので、Ａ相開閉器、Ｂ相開閉器、Ｃ相開閉器のそれぞれについて、相電流に基づく投入動作時間情報が得られなくても、その可動接点の動きに基づき、投入動作時間情報が得られるので、より正確に、各相開閉器の投入動作時間情報を得ることができる。
【発明を実施するための最良の形態】
【００１１】
以下この発明のいくつかの実施の形態について、図面を参照して説明する。
【００１２】
実施の形態１．
図１は、この発明による電力開閉制御装置の実施の形態１を示すブロック図である。
この実施の形態１の電力開閉制御装置は、３相交流電力回路１０と、開閉装置２０と、制御ユニット３０を含んでいる。
【００１３】
３相交流電力回路１０は、例えば商用交流電圧の送電系統または配電系統である。この３相交流電力回路１０は、Ａ相、Ｂ相、Ｃ相の各相ライン１１Ａ、１１Ｂ、１１Ｃと、これに接続された負荷１５Ａを含む。実施の形態１では、負荷１５Ａは、中性点非接地タイプの負荷であり、具体的には、デルタ接続された三相コンデンサバンク１６である。各相開閉器２１Ａ、２１Ｂ、２１Ｃの入力側における各相ライン１１Ａ、１１Ｂ、１１Ｃの相電圧をＶＡ、ＶＢ、ＶＣとし、各相開閉器２１Ａ、２１Ｂ、２１Ｃの負荷側の相電流をＩＡ、ＩＢ、ＩＣとする。
【００１４】
開閉装置２０は、各相ライン１１Ａ、１１Ｂ、１１Ｃを開閉する。この開閉装置２０は、Ａ相開閉器２１Ａ、Ｂ相開閉器２１Ｂ、およびＣ相開閉器２１Ｃを含む。Ａ相開閉器２１Ａは、相ライン１１Ａに接続され、Ｂ相開閉器２１Ｂ、およびC相開閉器２１Ｃは、それぞれ相ライン１１Ｂ、１１Ｃに接続される。各相開閉器２１Ａ、２１Ｂ、２１Ｃは、例えば電力用遮断器であり、送電系統の変電所、または配電系統の配電所に配置される。
【００１５】
各相開閉器２１Ａ、２１Ｂ、２１Ｃは、互いに独立して制御できるように構成される。各相開閉器２１Ａ、２１Ｂ、２１Ｃは、３相交流電力回路１０の系統機器にとって過酷な突入電流またはサージ電圧の発生を抑制するために、設定された位相角度で投入される。Ａ相開閉器２１Ａには、制御ユニット３０から投入指令信号ＳＡが供給され、このＡ相開閉器２１Ａは、この投入指令信号ＳＡに基づき、その可動接点を固定接点に接合する投入動作を行なう。同様に、Ｂ相開閉器２１Ｂ、およびＣ相開閉器２１Ｃには、それぞれ投入指令信号ＳＢ、ＳＣが供給され、これらの相開閉器２１Ｂ、２１Ｃは、その投入指令信号ＳＢ、ＳＣに基づき、それぞれの可動接点を固定接点に接合する投入動作を行なう。
【００１６】
各相開閉器２１Ａ、２１Ｂ、２１Ｃの投入動作において、各相開閉器２１Ａ、２１Ｂ、２１Ｃは、それぞれ投入動作時間ＴＡ、ＴＢ、ＴＣで投入動作を行なう。この投入動作時間ＴＡ、ＴＢ、ＴＣは、各相開閉器２１Ａ、２１Ｂ、２１Ｃに対して、投入指令信号ＳＡ、ＳＢ、ＳＣが与えられてから、それぞれの相開閉器２１Ａ、２１Ｂ、２１Ｃの可動接点が固定接点に接合するまでの動作時間である。この投入動作時間ＴＡ、ＴＢ、ＴＣは、各相開閉器２１Ａ、２１Ｂ、２１Ｃの投入機構の特性に依存して互いに独立しており、また可動接点と固定接点のアークによる消耗のために経時的にも変化する。この投入動作時間ＴＡ、ＴＢ、ＴＣは、各相開閉器２１Ａ、２１Ｂ、２１Ｃの投入機構に対する制御電圧、および環境条件、例えば温度に依存しても変化する。
【００１７】
制御ユニット３０は、開閉制御手段３１と投入動作時間情報検出手段３３Ａを有する。制御ユニット３０は、例えばマイクロコンピュータを用いて構成され、開閉制御手段３１および投入動作時間情報検出手段３３Ａも、そのマイクロコンピュータの演算装置、記憶装置などで構成される。制御ユニット３０には、実際には、投入動作時間情報検出手段３３Ａに加えて、開閉器の制御電圧検出手段、および周囲温度などの環境情報検出手段が付加されるが、この発明は、投入動作時間情報ＴＡ、ＴＢ、ＴＣに関連した制御を特徴とするので、この発明の説明では、これらの制御電圧検出手段および環境情報検出手段は省略される。
【００１８】
開閉制御手段３１は、投入指令信号ＳＡ、ＳＢ、ＳＣを発生し、これらの投入指令信号ＳＡ、ＳＢ、ＳＣを各相開閉器２１Ａ、２１Ｂ、２１Ｃに供給する。この開閉制御手段３１は、各相開閉器２１Ａ、２１Ｂ、２１Ｃのそれぞれについて、過去の投入動作時間ＴＡ、ＴＢ、ＴＣを表わす投入動作時間情報ＩＴＡ、ＩＴＢ、ＩＴＣを、マイクロコンピュータの記憶装置に記憶し、この過去の投入動作時間情報ＩＴＡ、ＩＴＢ、ＩＴＣの記憶情報を参照し、各相開閉器２１Ａ、２１Ｂ、２１Ｃを、それぞれの投入動作時間が変化しても、設定された位相で投入するように、投入指令信号ＳＡ、ＳＢ、ＳＣを発生する。各相開閉器２１A、２１Ｂ、２１Ｃに対する投入指令信号ＳＡ、ＳＢ、ＳＣは、それらに基づく新たな投入動作時間ＴＡ、ＴＢ、ＴＣを表わす投入動作時間情報ＩＴＡ、ＩＴＢ、ＩＴＣを検出するために、投入動作時間情報検出手段３３Ａにも供給される。
【００１９】
投入動作時間情報検出手段３３Ａは、第１検出手段３５Ａと、第２検出手段３７Ａを含む。実施の形態１では、第１検出手段３５Ａは、開閉制御手段３１と、Ａ相開閉器２１Ａに配置された接点動作センサ３６Ａとに結合される。この第１検出手段３５Ａは、開閉制御手段３１からＡ相開閉器２１Ａに対する投入指令信号ＳＡを受け、また、接点動作センサ３６ＡからＡ相開閉器２１Ａの可動接点の動きを示す接点動作信号ＳＡＴＲを受ける。接点動作センサ３６Ａは、例えば、Ａ相開閉器２１Ａの可動接点が、投入指令信号ＳＡに基づき、固定接点に向かって投入されるときに、この可動接点の動きに応じて、可動接点が単位角度だけ回転する度毎にパルス信号を順次発生するパルス発生器であり、このパルス信号を接点動作信号ＳＡＴＲとして、第１検出手段３５Ａに供給する。
【００２０】
第１検出手段３５Ａは、投入指令信号ＳＡを受けてから、接点動作信号ＳＡＴＲをカウントし、それが可動接点と固定接点とが接合したと想定される設定カウントに達するまでの経過時間をカウントする。この経過時間は、Ａ相開閉器２１Ａの投入動作時間ＴＡを表わす。第１検出手段３５Ａは、この投入動作時間ＴＡを表わす投入動作時間情報ＩＴＡを開閉制御手段３１に供給する。このＡ相開閉器２１Ａの投入動作時間情報ＩＴＡは、開閉制御手段３１において、マイクロコンピュータの記憶装置に記憶され、次回以降のＡ相開閉器２１Ａに対する投入指令信号ＳＡの発生タイミングを決定するのに使用される。
【００２１】
実施の形態１では、第２検出手段３７Ａは、開閉制御手段３１、およびＢ相、Ｃ相の相電流センサ３８Ｂ、３８Ｃとに結合される。この第２検出手段３７Ａは、開閉制御手段３１からＢ相開閉器２１ＢとＣ相開閉器２１Ｃに対する投入指令信号ＳＢ、ＳＣを受け、また、相電流センサ３８Ｂ、３８Ｃから、Ｂ相開閉器２１ＢとＣ相開閉器２１Ｃの相電流信号ＳＩＢ、ＳＩＣを受ける。相電流センサ３８Ｂは、Ｂ相開閉器２１Ｂと負荷１５Ａとの間のＢ相ライン１１Ｂに結合され、Ｂ相開閉器２１Ｂの相電流ＩＢに応じた相電流信号ＳＩＢを発生する。同様に、相電流センサ３８Ｃは、Ｃ相開閉器２１Ｃと負荷１５Ａとの間のＣ相ライン１１Ｃに結合され、Ｃ相開閉器２１Ｃの相電流ＩＣに応じた相電流信号ＳＩＣを発生する。
【００２２】
第２検出手段３７Ａは、Ｂ相開閉器２１ＢとＣ相開閉器２１Ｃの投入動作時間情報ＩＴＢ、ＩＴＣを開閉制御手段３１に供給する。投入動作時間情報ＩＴＢは、Ｂ相投入経過時間と、Ｂ相プレアーク時間との和である。Ｂ相投入経過時間は、Ｂ相開閉器２１Ｂに対する投入指令信号ＳＢと、相電流センサ３８Ｂからの相電流信号ＳＩＢとに基づき算出される。具体的には、Ｂ相投入経過時間は、投入指令信号ＳＢを受けてから、相電流信号ＳＩＢの波形に基づいて決定されるＢ相通電開始時刻までの経過時間として算出される。Ｂ相プレアーク時間は、Ｂ相通電開始時刻におけるＢ相の相電圧ＶＢの瞬時値を、Ｂ相開閉器２１Ｂの投入過程における可動接点と固定接点間の絶縁特性の時間的変化率で除することにより算出される。
同様に、投入動作時間情報ＩＴＣは、Ｃ相投入経過時間と、Ｃ相プレアーク時間との和である。Ｃ相投入経過時間は、Ｃ相開閉器２１Ｃに対する投入指令信号ＳＣと、相電流センサ３８Ｃからの相電流信号ＳＩＣに基づき算出される。具体的には、Ｃ相投入経過時間は、投入指令信号ＳＣを受けてから、相電流信号ＳＩＣの波形に基づいて決定されるＣ相通電開始時刻までの経過時間として算出される。Ｃ相プレアーク時間は、Ｃ相通電開始時刻におけるＣ相の相電圧ＶＣの瞬時値を、Ｃ相開閉器２１Ｃの投入過程における可動接点と固定接点間の絶縁特性の時間的変化率で除することにより算出される。
Ｂ相投入経過時間とＢ相プレアーク時間との和、およびＣ相投入経過時間とＣ相プレアーク時間との和は、それぞれ相開閉器２１Ｂ、２１Ｃの投入動作時間ＴＢ、ＴＣを表わすので、投入動作時間情報ＩＴＢ、ＩＴＣは、それぞれ投入動作時間ＴＢ、ＴＣを表わす。これらのＢ相開閉器２１ＢとＣ相開閉器２１Ｃの投入動作時間情報ＩＴＢ、ＩＴＣは、開閉制御手段３１において、マイクロコンピュータの記憶装置に記憶され、次回以降のＢ相開閉器２１Ｂ、Ｃ相開閉器２１Ｃに対する投入指令信号ＳＢ、ＳＣの発生タイミングを決定するのに使用される。
【００２３】
さて、実施の形態１では、Ａ相開閉器２１Ａ、Ｂ相開閉器２１Ｂ、Ｃ相開閉器２１Ｃに対する投入タイミングＴＡＯＮ、ＴＢＯＮ、ＴＣＯＮは、開閉制御手段３１により、例えば図２に示すように設定される。これらのタイミングＴＡＯＮ、ＴＢＯＮ、ＴＣＯＮは、３相交流電力回路１０に接続された系統機器にとって過酷な突入電流またはサージ電圧の発生を抑制する目的で、それぞれ設定される。具体的には、Ａ相開閉器２１Ａに対する投入タイミングＴＡＯＮは、図２に示すように、Ａ相ライン１１ＡにおけるＡ相電圧ＶＡの位相を基準位相として、他相投入以前の任意の時刻、例えば基準位相の＋６０°に設定される。Ｂ相開閉器２１Ｂに対する投入タイミングＴＢＯＮは、例えば前記基準位相の＋１５０°に設定され、またＣ相開閉器２１Ｃに対する投入タイミングＴＣＯＮは、例えば前記基準位相の＋２４０°に設定される。言い換えれば、投入タイミングＴＡＯＮが投入タイミングＴＢＯＮに先行し、さらに投入タイミングＴＢＯＮが投入タイミングＴＣＯＮに先行する。
【００２４】
実施の形態１では、負荷１５Ａが中性点非接地タイプの負荷であり、最初のＡ相開閉器２１Ａの投入タイミングＴＡＯＮでは、Ｂ相開閉器２１Ｂ、Ｃ相開閉器２１Ｃがオフ状態にあるので、Ａ相開閉器２１Ａの接点がオンとなる状態では、Ａ相開閉器２１Ａの相電流ＩＡは流れない。しかし、実施の形態１では、Ａ相開閉器２１Ａに接点動作センサ３６Ａが配置されるので、相電流ＩＡが流れなくても、Ａ相開閉器２１Ａの投入動作時間ＴＡを表わす投入動作時間情報ＩＴＡを、接点動作センサ３６Ａの接点動作信号ＳＡＴＲに基づき、第１検出手段３５Ａから出力することができる。Ｂ相開閉器２１ＢとＣ相開閉器２１Ｃに対する投入タイミングＴＢＯＮ、ＴＣＯＮでは、それらの開閉器２１Ｂ、２１Ｃの接点がオンとなるときに、それぞれ相開閉器２１Ｂ、２１Ｃの相電流ＩＢ、ＩＣが流れるので、相電流センサ３８Ｂ、３８Ｃからの相電流信号ＳＩＢ、ＳＩＣに基づき、第２検出手段３７Ａから、Ｂ相開閉器２１ＢとＣ相開閉器２１Ｃの投入動作時間ＴＢ、ＴＣを表わす投入動作時間情報ＩＴＢ、ＩＴＣを出力することができる。したがって、実施の形態１では、すべての相開閉器２１Ａ、２１Ｂ、２１Ｃの投入動作時間ＴＡ、ＴＢ、ＴＣを表わす投入動作時間情報ＩＴＡ、ＩＴＢ、ＩＴＣを、より正確に得ることができる。
【００２５】
なお、実施の形態１では、Ａ相開閉器２１Ａに対する投入タイミングＴＡＯＮの位相が、図２の設定位相から変化しても、その投入タイミングＴＡＯＮが、Ｂ相開閉器２１ＢとＣ相開閉器２１Ｃに対する投入タイミングＴＢＯＮ、ＴＣＯＮに先行している限り、常にＡ相開閉器２１Ａが投入されても、相電流ＩＡが流れない結果となるので、同様な効果が得られる。
【００２６】
実施の形態２．
図３は、この発明による電力開閉制御装置の実施の形態２を示すブロック図であり、図４は、この実施の形態２における投入タイミングＴＡＯＮ、ＴＢＯＮ、ＴＣＯＮの説明図である。
【００２７】
この実施の形態２では、実施の形態１における負荷１５Ａが負荷１５Ｂに置き換えられ、また、各相開閉器２１Ａ、２１Ｂ、２１Ｃに対する投入タイミングＴＡＯＮ、ＴＢＯＮ、ＴＣＯＮが、図４に示すように変更される。これに伴ない、実施の形態２では、実施の形態１の投入動作時間情報検出手段３３Ａが投入動作時間情報検出手段３３Ｂに置き換えられる。この投入動作時間情報検出手段３３Ｂは、第１検出手段３５Ｂと、第２検出手段３７Ｂを有する。第１検出手段３５Ｂは、開閉制御手段３１から投入指令信号ＳＣが受け、またＣ相開閉器２１Ｃに配置された接点動作センサ３６Ｃから接点動作信号ＳＣＴＲを受けるように構成される。また第２検出手段３７Ｂは、開閉制御手段３１から投入指令信号ＳＡ、ＳＢを受け、またA相ライン１１Aに結合された相電流センサ３８Ａと、Ｂ相ライン１１Ｂに結合された相電流センサ３８Ｂとから、それぞれ相電流信号ＳＩＡ、ＳＩＢを受けるように構成される。その他は、実施の形態１と同じに構成される。
【００２８】
この実施の形態２では、負荷１５Ｂが、中性点接地タイプの各相共通コア付負荷とされる。この負荷１５Ｂは、例えばスター形に接続されたコア付リアクトル、または変圧器とされる。この負荷１５Ｂは、各相に共通なコア１７を有し、このコア１７には各相ライン１１Ａ、１１Ｂ、１１Ｃに接続されたリアクトル１８が巻回され、このリアクトル１８はスター形に接続され、その中性点が接地点Ｅに接続される。
【００２９】
また実施の形態２では、各相開閉器２１Ａ、２１Ｂ、２１Ｃに対する投入タイミングＴＡＯＮ、ＴＢＯＮ、ＴＣＯＮは、開閉制御手段３１により、例えば図４に示すように設定される。Ａ相開閉器２１Ａの投入タイミングＴＡＯＮは、相電圧ＶＡの位相を基準位相として、例えばその＋９０°に設定され、Ｂ相開閉器２１Ｂの投入タイミングＴＢＯＮは、例えば基準位相の１５０°に設定され、またＣ相開閉器２１Ｃに対する投入タイミングＴＣＯＮは、例えば基準位相の＋２１０°に設定される。
【００３０】
実施の形態２では、第１検出手段３５Ｂは、接点動作センサ３６ＣからＣ相開閉器２１Ｃの可動接点の動きを示す接点動作信号ＳＣＴＲを受ける。接点動作センサ３６Ｃは、具体的には、Ｃ相開閉器２１Ｃの可動接点が、投入指令信号ＳＣに基づき、固定接点に向かって投入されるときに、この可動接点の動きに応じて、可動接点が単位角度だけ回転する度毎にパルス信号を順次発生するパルス発生器であり、このパルス信号を接点動作信号ＳＣＴＲとして、第１検出手段３５Ｂに供給する。
【００３１】
第１検出手段３５Ｂは、投入指令信号ＳＣを受けてから、接点動作信号ＳＣＴＲをカウントし、それが可動接点と固定接点とが接合したと想定される設定カウントに達するまでの経過時間をカウントする。この経過時間は、Ｃ相開閉器２１Ｃの投入動作時間ＴＣを表わす。第１検出手段３５Ｂは、この投入動作時間ＴＣを表わす投入動作時間情報ＩＴＣを開閉制御手段３１に供給する。このＣ相開閉器２１Ｃの投入動作時間情報ＩＴＣは、開閉制御手段３１において、マイクロコンピュータの記憶装置に記憶され、次回以降のＣ相開閉器２１Ｃに対する投入指令信号ＳＣの発生タイミングを決定するのに使用される。
【００３２】
実施の形態２では、第２検出手段３７Ｂは、開閉制御手段３１からＡ相開閉器２１ＡとＢ相開閉器２１Ｂに対する投入指令信号ＳＡ、ＳＢを受け、また、相電流センサ３８Ａ、３８Ｂから、Ａ相開閉器２１Ａ、Ｂ相開閉器２１Ｂの相電流信号ＳＩＡ、ＳＩＢを受ける。相電流センサ３８Ａは、Ａ相開閉器２１Ａと負荷１３との間のＡ相ライン１１Ａに結合され、Ａ相開閉器２１Ａの相電流ＩＡに応じた相電流信号ＳＩＡを発生する。相電流センサ３８Ｂは、実施の形態１と同様に、Ｂ相開閉器２１Ｂと負荷１３Ａとの間のＢ相ライン１１Ｂに結合され、Ｂ相開閉器２１Ｂの相電流ＩＢに応じた相電流信号ＳＩＢを発生する。
【００３３】
第２検出手段３７Ｂは、Ａ相開閉器２１AとＢ相開閉器２１Bの投入動作時間情報ＩＴＡ、ＩＴＢを開閉制御手段３１に供給する。投入動作時間情報ＩＴＡは、Ａ相投入経過時間と、Ａ相プレアーク時間との和である。Ａ相投入経過時間は、Ａ相開閉器２１Ａに対する投入指令信号ＳＡと、相電流センサ３８Ａからの相電流信号ＳＩＡに基づき算出される。具体的には、Ａ相投入経過時間は、投入指令信号ＳＡを受けてから、相電流信号ＳＩＡの波形に基づいて決定されるＡ相通電開始時刻までの経過時間として算出される。Ａ相プレアーク時間は、Ａ相通電開始時刻におけるＡ相の相電圧ＶＡの瞬時値を、Ａ相開閉器２１Ａの投入過程における可動接点と固定接点間の絶縁特性の時間的変化率で除することにより算出される。
投入動作時間情報ＩＴＢは、実施の形態１と同様に、Ｂ相投入経過時間と、Ｂ相プレアーク時間との和として、算出される。Ｂ相投入経過時間は、Ｂ相開閉器２１Ｂに対する投入指令信号ＳＢと、相電流センサ３８Ｂからの相電流信号ＳＩＢに基づき算出される。具体的には、Ｂ相投入経過時間は、投入指令信号ＳＢを受けてから、相電流信号ＳＩＢの波形に基づいて決定されるＢ相通電開始時刻までの経過時間として算出される。Ｂ相プレアーク時間は、Ｂ相通電開始時刻におけるＢ相の相電圧ＶＢの瞬時値を、Ｂ相開閉器２１Ｂの投入過程における可動接点と固定接点間の絶縁特性の時間的変化率で除することにより算出される。
Ａ相投入経過時間とＡ相プレアーク時間との和、およびＢ相投入経過時間とＢ相プレアーク時間との和は、それぞれ相開閉器２１Ａ、２１Ｂの投入動作時間ＴＡ、ＴＢを表わすので、投入動作時間情報ＩＴＡ、ＩＴＢは、それぞれ投入動作時間ＴＡ、ＴＢを表わす。これらのＡ相開閉器２１ＡとＢ相開閉器２１Ｂの投入動作時間情報ＩＴＡ、ＩＴＢは、開閉制御手段３１において、マイクロコンピュータの記憶装置に記憶され、次回以降のＡ相開閉器２１Ａ、Ｂ相開閉器２１Ｂに対する投入指令信号ＳＡ、ＳＢの発生タイミングを決定するのに使用される。
【００３４】
実施の形態２では、負荷１５Ｂが中性点接地タイプの共通コアを有する負荷であり、最初のＡ相開閉器２１Ａに対する投入タイミングＴＡＯＮ、および次のＢ相開閉器２１Ｂに対する投入タイミングＴＢＯＮでは、それらの接点がオンとなるときに、相電流ＩＡ、ＩＢが流れるので、相電流センサ３８Ａ、３８Ｂの相電流信号ＳＩＡ、ＳＩＢに基づき、第２検出手段３７Ｂから、Ａ相開閉器２１ＡとＢ相開閉器２１Ｂの投入動作時間ＴＡ、ＴＢを表わす投入動作時間情報ＩＴＡ、ＩＴＢを出力することができる。
【００３５】
この実施の形態２では、C相開閉器２１Ｃに対する投入タイミングＴＣＯＮでは、先にＡ相開閉器２１ＡとＢ相開閉器２１Ｂが投入されているため、Ｃ相ライン１１Ｃに接続されたリアクトル１８に誘起される電圧が、Ｃ相電圧ＶＣと等しくなるため、Ｃ相開閉器２１Ｃは、その接点間の電圧が実質的に０に状態で、投入される。このため、Ｃ相開閉器２１Ｃには、その接点がオンとなる前にプレアークが発生することはなく、この相電流ＩＣからは、他のＡ相、Ｂ相と同様にして、投入動作時間情報ＴＣを求めることができない。しかし、この実施の形態２では、Ｃ相開閉器２１Ｃに接点動作センサ３６Ｃが配置されるので、Ｃ相開閉器２１Ｃの投入時に、プレアークが発生しなくても、Ｃ相開閉器２１Ｃの投入動作時間ＴＣを表わす投入動作時間情報ＩＴＣを、接点動作センサ３６Ｃの接点動作信号ＳＣＴＲに基づき、第１検出手段３５Bから出力することができる。したがって、すべての各相開閉器２１Ａ、２１Ｂ、２１Ｃの投入動作時間ＴＡ、ＴＢ、ＴＣを表わす投入動作時間情報ＩＴＡ、ＩＴＢ、ＩＴＣを、より正確に得ることができる。
【００３６】
なお、実施の形態２では、Ｃ相開閉器２１Ｃに対する投入タイミングＴＣＯＮの位相が、図４の設定位相から変化しても、Ａ相開閉器２１ＡとＢ相開閉器２１Ｂに対する投入タイミングＴＡＯＮ、ＴＢＯＮの後である限り、常にＣ相開閉器２１Ｃが、接点間電圧が実質的の０の状態で投入される結果となるので、同様な効果が得られる。例えば、図２に示す投入タイミングＴＡＯＮ、ＴＢＯＮ、ＴＣＯＮで投入する場合にも、Ｃ相開閉器２１Ｃに対する投入タイミングＴＣＯＮが、Ａ相開閉器２１Ａ、Ｂ相開閉器２１Ｂに対する投入タイミングＴＡＯＮ、ＴＢＯＮの後であるので、同様な効果が得られる。
【００３７】
実施の形態３．
図５は、この発明による電力開閉制御装置の実施の形態３を示すブロック図である。この実施の形態３の電力開閉制御装置では、実施の形態１における負荷１５Ａが、任意の３相負荷１５に置き換えられ、また、各相開閉器２１Ａ、２１Ｂ、２１Ｃに対する投入タイミングＴＡＯＮ、ＴＢＯＮ、ＴＣＯＮも任意に設定される。これに伴ない、この実施の形態３では、実施の形態１の投入動作時間情報検出手段３３Ａが、投入動作時間情報検出手段３３に置き換えられる。この投入動作時間情報検出手段３３は、第１検出手段３５と、第２検出手段３７と、比較選択手段４０を有する。第１検出手段３５は、開閉制御手段３１から投入指令信号ＳＡ、ＳＢ、ＳＣを受け、また各相開閉器２１Ａ、２１B、２１Ｃのそれぞれに配置された接点動作センサ３６Ａ、３６Ｂ、３６Ｃから、それぞれ接点動作信号ＳＡＴＲ、ＳＢＴＲ、ＳＣＴＲを受けるように構成される。また第２検出手段３７は、開閉制御手段３１から投入指令信号ＳＡ、ＳＢ、ＳＣを受け、また各相ライン１１A、１１Ｂ、１１Ｃのそれぞれに結合された相電流センサ３８Ａ、３８Ｂ、３８Ｃから、各相開閉器２１Ａ、２１Ｂ、２１Ｃの相電流信号ＳＩＡ、ＳＩＢ、ＳＩＣを受けるように構成される。比較選択手段４０は、比較手段４１と、選択手段４２を有する。その他は、実施の形態１と同じに構成される。
【００３８】
この実施の形態３の負荷１５は、任意の３相負荷であって、例えば図１に示す中性点非接地タイプの負荷１５Ａ、図３に示す中性点接地タイプの共通コア付負荷１５Ｂ、またはその他の３相負荷のいずれの負荷でも使用できる。また、各相開閉器２１Ａ、２１Ｂ、２１Ｃに対する投入タイミングＴＡＯＮ、ＴＢＯＮ、ＴＣＯＮも、任意に設定され、例えば図２または図４、またはその他のタイミングに設定される。
【００３９】
各相開閉器２１Ａ、２１Ｂ、２１Ｃに配置された接点動作センサ３６Ａ、３６Ｂ、３６Ｃは、対応する各相開閉器２１Ａ、２１Ｂ、２１Ｃの可動接点が、投入指令信号ＳＡ、ＳＢ、ＳＣに基づき、固定接点に向かって投入されるときに、この可動接点の動きに応じて、可動接点が単位角度だけ回転する度毎にパルス信号を順次発生するパルス発生器であり、このパルス信号を接点動作信号ＳＡＴＲ、ＳＢＴＲ、ＳＣＴＲとして、それぞれ第１検出手段３５に供給する。
【００４０】
第１検出手段３５は、各投入指令信号ＳＡ、ＳＢ、ＳＣを受けてから、各接点動作信号ＳＡＴＲ、ＳＢＴＲ、ＳＣＴＲをそれぞれカウントし、それぞれ対応する相開閉器２１Ａ、２１Ｂ、２１Ｃの可動接点と固定接点とが接合したと想定される設定カウントに達したときに、接点オン信号ＳＡＯＮ、ＳＢＯＮ、ＳＣＯＮをそれぞれ発生する。これらの接点オン信号ＳＡＯＮ、ＳＢＯＮ、ＳＣＯＮは、この実施の形態３では、第１検出手段３５から比較選択手段４２の比較手段４１へ出力される。また、第１検出手段３５は、各投入指令信号ＳＡ、ＳＢ、ＳＣを受けてから、各接点動作信号ＳＡＴＲ、ＳＢＴＲ、ＳＣＴＲをそれぞれカウントし、それぞれ対応する相開閉器２１Ａ、２１Ｂ、２１Ｃの可動接点と固定接点とが接合したと想定される設定カウントに達するまでの経過時間を、それぞれカウントする。この各経過時間は、各相開閉器２１Ａ、２１B、２１Cの投入動作時間ＴＡ、ＴＢ、ＴＣを表わす第１の情報であり、第１検出手段３５は、前記各経過時間を第１の投入動作時間情報ＩＴＡ１、ＩＴＢ１、ＩＴＣ１として、第１検出手段３５から選択手段４２へ出力する。
【００４１】
各相電流センサ３８Ａ、３８Ｂ、３８Ｃは、それぞれ各相開閉器２１Ａ、２１Ｂ、２１Ｃと負荷１５との間の各相ライン１１Ａ、１１Ｂ、１１Ｃに結合され、それぞれ各相開閉器２１Ａ、２１Ｂ、２１Ｃに流れる相電流ＩＡ、ＩＢ、ＩＣに応じた相電流信号ＳＩＡ、ＳＩＢ、ＳＩＣを発生する。負荷１５の種類および投入タイミングＴＡＯＮ、ＴＢＯＮ、ＴＣＯＮの設定に依存して、各相開閉器２１Ａ、２１Ｂ、２１Ｃの投入時には、プレアークが発生する場合と、プレアークが発生しない場合がある。
【００４２】
相電流信号ＳＩＡ、ＳＩＢ、ＳＩＣは、それぞれ第２検出手段３７に供給される。実施の形態３では、第２検出手段３７は、相電流信号ＳＩＡ、ＳＩＢ、ＳＩＣが流れ始めるタイミングで、電流の流れ始めを示す電流流れ始め信号ＳＡＳ、ＳＢＳ、ＳＣＳを発生し、この電流流れ始め信号ＳＡＳ、ＳＢＳ、ＳＣＳを比較手段４１に供給する。これらの電流流れ始め信号ＳＡＳ、ＳＢＳ、ＳＣＳは、プレアークが発生している場合には、対応する各相開閉器の接点がオンする以前に流れ始めるプレアークの開始点を示す。また、プレアークが発生しない場合には、電流流れ始め信号ＳＡＳ、ＳＢＳ、ＳＣＳは、対応する相開閉器の接点がオンした後に流れ始める相電流の流れ始めを示す。
【００４３】
第２検出手段３７は、また各投入指令信号ＳＡ、ＳＢ、ＳＣと、各相電流信号ＳＩＡ、ＳＩＢ、ＳＩＣとに基づいて、各相開閉器２１Ａ、２１Ｂ、２１Ｃの第２の投入動作時間情報ＩＴＡ２、ＩＴＢ２、ＩＴＣ２を発生し、この第２の投入動作時間情報ＩＴＡ２、ＩＴＢ２、ＩＴＣ２を比較選択手段４０の選択手段４２に供給する。第２の投入動作時間情報ＩＴＡ２、ＩＴＢ２、ＩＴＣ２は、対応する相開閉器２１Ａ、２１Ｂ、２１Ｃの投入がプレアークを伴なう場合には、有効な情報となる。しかし、対応する相開閉器２１Ａ、２１Ｂ、２１Ｃの投入がプレアークを伴なわない場合には、第２の投入動作時間情報ＩＴＡ２、ＩＴＢ２、ＩＴＣ２は、実際には存在していないプレアークを考慮した信号となるため、無効な情報となる。
【００４４】
比較選択手段４０の比較手段４１は、第１検出手段３５から接点オン信号ＳＡＯＮ、ＳＢＯＮ、ＳＣＯＮを受け、また第２検出手段３７から電流流れ始め信号ＳＡＳ、ＳＢＳ、ＳＣＳを受ける。この比較手段４１は、接点オン信号ＳＡＯＮ、ＳＢＯＮ、ＳＣＯＮと、電流流れ始め信号ＳＡＳ、ＳＢＳ、ＳＣＳとを比較し、第２の投入動作時間情報ＩＴＡ２、ＩＴＢ２、ＩＴＣ２の有効性を判定し、この有効性を表わす選択信号ＳＳＡ、ＳＳＢ、ＳＳＣを選択手段４２へ出力する。この選択手段４２には、第１検出手段３５から第１の投入動作時間情報ＩＴＡ１、ＩＴＢ１、ＩＴＣ１が供給され、また第２検出手段３７から第２の投入動作時間情報ＩＴＡ２、ＩＴＢ２、ＩＴＣ２が供給される。この選択手段４２は、選択信号ＳＳＡ、ＳＳＢ、ＳＳＣのそれぞれに基づいて、第１の投入動作時間情報ＩＴＡ１、ＩＴＢ１、ＩＴＣ１と、第２の投入動作時間情報ＩＴＡ２、ＩＴＢ２、ＩＴＣ２のいずれかを選択し、投入動作時間信号ＩＴＡ、ＩＴＢ、ＩＴＣを開閉制御手段３１へ出力する。
【００４５】
投入動作時間情報ＩＴＡは、選択信号ＳＳＡに基づき、第１、第２の投入動作時間情報ＩＴＡ１、ＩＴＡ２のいずれかから選択される。比較手段４１により第２の投入動作時間情報ＩＴＡ２が有効と判定されると、選択信号ＳＳＡは、第２の投入動作時間信号ＩＴＡ２を選択することを選択手段４２に指示し、選択手段４２は、この第２の投入動作時間情報ＩＴＡ２を投入動作時間情報ＩＴＡとして出力する。また比較手段４１により、第２の投入動作時間情報ＩＴＡ２が無効と判定されると、選択手段４２は、第１の投入動作時間情報ＩＴＡ１を投入動作時間情報ＩＴＡとして出力する。同様に、投入動作時間情報ＩＴＢは、選択信号ＳＳＢに基づき、第１、第２の投入動作時間情報ＩＴＢ１、ＩＴＢ２のいずれかから選択される。比較手段４１により第２の投入動作時間情報ＩＴＢ２が有効と判定されると、選択信号ＳＳＢは、第２の投入動作時間信号ＩＴＢ２を選択することを選択手段４２に指示し、選択手段４２は、この第２の投入動作時間情報ＩＴＢ２を投入動作時間情報ＩＴＢとして出力する。また比較手段４１により、第２の投入動作時間情報ＩＴＢ２が無効と判定されると、選択手段４２は、第１の投入動作時間情報ＩＴＢ１を投入動作時間情報ＩＴＢとして出力する。同様に、投入動作時間情報ＩＴＣは、選択信号ＳＳＣに基づき、第１、第２の投入動作時間情報ＩＴＣ１、ＩＴＣ２のいずれかから選択される。比較手段４１により第２の投入動作時間情報ＩＴＣ２が有効と判定されると、選択信号ＳＳＣは、第２の投入動作時間信号ＩＴＣ２を選択することを選択手段４２に指示し、選択手段４２は、この第２の投入動作時間情報ＩＴＣ２を投入動作時間情報ＩＴＣとして出力する。また比較手段４１により、第２の投入動作時間情報ＩＴＣ２が無効と判定されると、選択手段４２は、第１の投入動作時間情報ＩＴＣ１を投入動作時間情報ＩＴＣとして出力する。
【００４６】
比較手段４１による第２の投入動作時間情報ＩＴＡ２、ＩＴＢ２、ＩＴＣ２の有効性の判定は、具体的には、各接点オン信号ＳＡＯＮ、ＳＢＯＮ、ＳＣＯＮのそれぞれに関して、各接点オン信号ＳＡＯＮ、ＳＢＯＮ、ＳＣＯＮの発生タイミングを基準タイミングとして、その基準タイミングを含む基準タイミング以前の一定期間内に、電流流れ始め信号ＳＡＳ、ＳＢＳ、ＳＣＳが存在しているかどうかを判定する。前記それぞれの一定期間内に電流流れ始め信号が存在しておれば、その電流流れ始め信号は、プレアークの開始点を示していると判定され、それに対応する第２の投入動作時間情報は有効と判定され、そうでなければ、その電流流れ始め信号は、プレアークの開始点ではないと判定され、それに対応する第２の投入動作時間情報は無効と判定される。
【００４７】
例えば、負荷１５が図１に示す中性点非接地タイプの負荷１５Ａであり、各相開閉器２１Ａ、２１Ｂ、２１Ｃの中で、最初にＡ相開閉器２１Ａが他のＢ相開閉器２１Ｂ、C相開閉器２１Ｃに先行して投入される場合には、最初に投入されるＡ相開閉器２１Ａでは、そのＡ相開閉器２１Ａの投入によっても相電流ＩＡは流れず、電流流れ始め信号ＳＡＳは、接点オン信号ＳＡＯＮの後で、Ｂ相開閉器２１Ｂが投入されてから流れるので、その相電流信号ＳＩＡに対応する第２の投入動作時間情報ＩＴＡ２は無効とされる。これに対して、Ｂ相開閉器２１Ｂ、Ｃ相開閉器２１Ｃでは、その投入時にプレアークの開始点から相電流ＩＢ、ＩＣが流れるので、接点オン信号ＳＢＯＮ、ＳＣＯＮの発生タイミングを基準タイミングとして、この基準タイミングを含む基準タイミング以前の一定期間内に、電流流れ始め信号ＳＢＳ、ＳＣＳが存在することとなり、それらの相電流信号ＳＩＢ、ＳＩＣに対応する第２の投入動作時間情報ＩＴＢ２、ＩＴＣ２は有効と判定される。
【００４８】
また、例えば負荷１５が図３に示す中性点接地タイプの共通コア付負荷１５Ｂであり、各相開閉器２１Ａ、２１Ｂ、２１Ｃの中で、Ｃ相開閉器２１がＡ相開閉器２１Ａ、Ｂ相開閉器２１Ｂの後で、最後に投入タイミングＴＣＯＮで投入される場合には、そのＣ相開閉器２１Ｃは、その接点間の電圧が実質的に０の状態で投入されるので、その相電流ＩＣはＣ相開閉器２１Ｃの接点がオンした後に流れ始めるので、相電流信号ＩＣに対応する第２の投入動作時間情報ＩＴＣ２は無効と判定される。これに対して、Ａ相開閉器２１Ａ、Ｂ相開閉器２１Ｂでは、その投入時にプレアークの開始点から相電流ＩＡ、ＩＢが流れるので、接点オン信号ＳＡＯＮ、ＳＢＯＮの発生タイミングを基準タイミングとして、この基準タイミングを含む基準タイミング以前の一定期間内に、電流流れ始め信号ＳＡＳ、ＳＢSが存在することとなり、それらの相電流信号ＳＩＡ、ＳＩＢに対応する第２の投入動作時間情報ＩＴＡ２、ＩＴＢ２は有効と判定される。
【００４９】
このように、実施の形態３によれば、負荷１５の種類および各相開閉器２１Ａ、２１Ｂ、２１Ｃの投入タイミングＴＡＯＮ、ＴＢＯＮ、ＴＣＯＮに拘わらず、常に第１の投入動作時間情報ＩＴＡ１、ＩＴＢ１、ＩＴＣ１と第２の投入動作時間情報ＩＴＡ２、ＩＴＢ２、ＩＴＣ２のいずれかを選択できるので、すべての投入動作時間情報ＩＴＡ、ＩＴＢ、ＩＴＣをより正確に検出することができる。
【産業上の利用可能性】
【００５０】
この発明による電力開閉制御装置は、３相交流電力回路の開閉制御装置として利用される。
【図面の簡単な説明】
【００５１】
【図１】この発明による電力開閉制御装置の実施の形態１を示すブロック図。
【図２】実施の形態１の各相開閉器の投入タイミングの説明図。
【図３】この発明による電力開閉制御装置の実施の形態２を示すブロック図。
【図４】実施の形態２の各相開閉器の投入タイミングの説明図。
【図５】この発明による電力開閉制御装置の実施の形態３を示すブロック図。
【符号の説明】
【００５２】
１０：３相交流電力回路、１５、１５Ａ、１５Ｂ：負荷、２１Ａ：Ａ相開閉器、
２１Ｂ：B相開閉器、２１Ｃ：C相開閉器、３１：開閉制御手段、
３３、３３Ａ、３３Ｂ：投入動作時間情報検出手段、
３５、３５Ａ、３５Ｂ：第１検出手段、３７、３７Ａ、３７Ｂ：第２検出手段、
３６Ａ、３６Ｂ、３６Ｃ：接点動作センサ、３８Ａ、３８Ｂ、３８Ｃ：相電流センサ、
４０：比較選択手段、４１：比較手段、４２：選択手段。
【図１】
0004721959.tif 000002
【図２】
0004721959.tif 000003
【図３】
0004721959.tif 000004
【図４】
0004721959.tif 000005
【図５】
0004721959.tif 000006